(57)【要約】【課題】大判の資料を封筒等に入れずにそのまま郵送できると共に、使用時には、使い勝手のよい資料帖となる、便利なパッケージを提供することを課題とする。【解決手段】折り畳まれた大判の資料（１）と; １枚の厚紙で作製され、上記折り畳まれた大判の資料（１）の要所と接着してこれを収納するカバー体（２）であって、折り畳まれた上記資料の縦横外形より幾分大きめの略矩形の２枚の表紙面（Ａ１，Ａ２）と、上記表紙面の各辺に連接して設けられ、折り畳まれた資料の厚さと略同等の幅を有する細長いマチ面（Ｃ１〜Ｃ７）とが形成され、表紙面とマチ面との連接部で折り曲げられるカバー体（２）と；から構成される。使用時には、マチ面（Ｃ１〜Ｃ７）を切り取って、２枚の表紙面（Ａ１，Ａ２）を分離する。【選択図】  図２
2006076577.tif 000002
【特許請求の範囲】
【請求項１】
折り畳まれた大判の資料（１）と、
１枚の厚紙を裁断することにより作製されるカバー体（２）であって、折り畳まれた上記資料の縦横外形より幾分大きめの略矩形の２枚の表紙面（Ａ１，Ａ２）と、上記表紙面の各辺に連接して設けられ、折り畳まれた資料の厚さと略同等の幅を有する細長いマチ面（Ｃ１〜Ｃ７）とが形成され、表紙面とマチ面との連接部で折り曲げられるカバー体（２）と、から構成され；
組立て時には、上記折り畳まれた大判の資料（１）の最上層及び最下層の紙面の外面に、上記表紙面とマチ面との連接部で折り曲げられたカバー体の２枚の表紙面（Ａ１，Ａ２）をそれぞれ貼り着け、マチ面同士（Ｃ２〜Ｃ７）の要所を互いに接着し、これにより、折り畳まれた資料全体をカバー体（２）の内部に郵送可能な状態で収納するよう組み立て；
使用時には、マチ面（Ｃ１〜Ｃ７）と表紙面（Ａ１，Ａ２）の連接部に設けた切取り線に沿って上記すべてのマチ面を切り取ることにより、２枚の表紙面が互いに分離され、これにより、上下に厚紙でできた表紙面（Ａ１，Ａ２）を備え、これらの表紙面の間に大判の資料（１）を展開自在に折り畳み収納した資料帖が形成されるように構成したこと；
を特徴とする大判の資料を収納した郵送可能なパッケージ。
【請求項２】
１枚の厚紙を裁断して作製される上記カバー体（２）が；
略矩形の第１表紙面（Ａ１）と；
第１表紙面（Ａ１）の一つの辺に切取り可能なよう連接して設けられる細長い第１マチ面（Ｃ１）と；
第１マチ面（Ｃ１）の第１表紙面（Ａ１）と連接する辺とは反対側の辺に切取り可能なよう連接して設けられる略矩形の第２表紙面（Ａ２）と；
第２表紙面（Ａ２）の第１マチ面（Ｃ１）と連接する辺とは反対側の辺に切取り可能なよう連接して設けられる細長い第２マチ面（Ｃ２）と；  
第１表紙面（Ａ１）の第１マチ面（Ｃ１）と連接する辺とは反対側の辺に切取り可能なよう連接して設けられ、組立て時には上記第２マチ面（Ｃ２）と接着される細長い第３マチ面（Ｃ３）と；
第１表紙面（Ａ１）の第１マチ面（Ｃ１）と連接する辺に隣接する一方の辺に切取り可能なよう連接して設けられる細長い第４マチ面（Ｃ４）と; 
第１表紙面（Ａ１）の第４マチ面（Ｃ４）と連接する辺に対向する辺に切取り可能なよう連接して設けられる細長い第５マチ面（Ｃ５）と；
第２表紙面（Ａ２）の第１マチ面（Ｃ１）と連接する辺に隣接する一方の辺に切取り可能なよう連接して設けられ、組立て時には上記第４マチ面（Ｃ４）と接着される細長い第６マチ面（Ｃ６）と; 
第２表紙面（Ａ２）の第６マチ面（Ｃ６）と連接する辺に対向する辺に切取り可能なよう連接して設けられ、組立て時には上記第５マチ面（Ｃ５）と接着される細長い第７マチ面（Ｃ７）と；
が互いに連接して形成された請求項１に記載の大判の資料を収納した郵送可能なパッケージ。
【請求項３】
上記大判の資料（１）が、ミウラ折りに折り畳まれた請求項１又は２に記載の大判の資料を収納した郵送可能なパッケージ。
【発明の詳細な説明】
【技術分野】
【０００１】
本発明は、地図、イベント等の場内案内図、取扱い説明書、カタログ、等々の各種の大判の資料をコンパクトに収納、かつ、郵送可能な状態に包装し、開封後は、２枚の表紙の間にそれらの資料が展開自在に収納された使い勝手のよい資料帖として利用できるパッケージに関するものである。
【背景技術】
【０００２】
上記の如き地図等の大判の資料を郵送する際は、通常、これを適宜の大きさに折り畳み、別途用意した封筒に収納して送付していた。受領者側では、内容物である資料を取り出し、封筒は適宜廃棄していた。
一方、内容物である大判の資料は、単に折り畳まれただけで、特別の表紙は設けられておらず、表紙が必要な場合には、当該資料を作製し、折り畳んだ後、専用の表紙を貼り着けるようにしており、郵送用の封筒とは完全に別個、 独立のものであった。
そのため、資源や手間の無駄が多かった。
【０００３】
資源の有効利用の観点から、フォルダ等として再利用が可能な封筒（例えば、下記特許文献１参照）や、衣料品、書籍等を収納するための紙製組立式包装収容ケース（例えば、下記特許文献２参照）などが、これまでにも種々提案されている。
【０００４】
【特許文献１】特開２００３−１９１９６２号公報
【０００５】
【特許文献２】特開２００２−３４７７４５号公報
【０００６】
しかしながら、従来公知のこれらの包装用品は、大判の資料を包装し、郵送するために特化されたものではなく、郵送後に、当該包装用品が、送られた大判の資料の使用上有効に利用されるという性質のものではなかった。
【発明の開示】
【発明が解決しようとする課題】
【０００７】
本発明は、上記の問題点を解決するためなされたものであり、その目的とするところは、各種の大判の資料をコンパクトに収納、かつ、郵送可能な状態に包装し得ると共に、開封後は、厚手の表紙の間にそれらの資料が展開自在に折り畳み収納された使い勝手のよい資料帖として利用できるパッケージを提供することにある。
【課題を解決するための手段】
【０００８】
上記の目的は、
折り畳まれた大判の資料と、
１枚の厚紙を裁断することにより作製されるカバー体であって、折り畳まれた上記資料の縦横外形より幾分大きめの略矩形の２枚の表紙面と、上記表紙面の各辺に連接して設けられ、折り畳まれた資料の厚さと略同等の幅を有する細長いマチ面とが形成され、表紙面とマチ面との連接部で折り曲げられるカバー体と、から構成され；
組立て時には、上記折り畳まれた大判の資料の最上層及び最下層の紙面の外面に、上記表紙面とマチ面との連接部で折り曲げられたカバー体の２枚の表紙面をそれぞれ貼り着け、マチ面同士の要所を互いに接着し、これにより、折り畳まれた資料全体をカバー体の内部に郵送可能な状態で収納するよう組み立て；
使用時には、マチ面と表紙面の連接部に設けた切取り線に沿って上記すべてのマチ面を切り取ることにより、２枚の表紙面が互いに分離され、これにより、上下に厚紙でできた表紙面を備え、これらの表紙面の間に大判の資料を展開自在に折り畳み収納した資料帖が形成されるように構成したこと；
を特徴とする大判の資料を収納した郵送可能なパッケージによって達成し得る。
【０００９】
その場合において、１枚の厚紙を裁断して作製される上記カバー体は；
略矩形の第１表紙面と；
第１表紙面の一つの辺に切取り可能なよう連接して設けられる細長い第１マチ面と；
第１マチ面の第１表紙面と連接する辺とは反対側の辺に切取り可能なよう連接して設けられる略矩形の第２表紙面と；
第２表紙面の第１マチ面と連接する辺とは反対側の辺に切取り可能なよう連接して設けられる細長い第２マチ面と；  
第１表紙面の第１マチ面と連接する辺とは反対側の辺に切取り可能なよう連接して設けられ、組立て時には上記第２マチ面と接着される細長い第３マチ面と；
第１表紙面の第１マチ面と連接する辺に隣接する一方の辺に切取り可能なよう連接して設けられる細長い第４マチ面と; 
第１表紙面の第４マチ面と連接する辺に対向する辺に切取り可能なよう連接して設けられる細長い第５マチ面と；
第２表紙面の第１マチ面と連接する辺に隣接する一方の辺に切取り可能なよう連接して設けられ、組立て時には上記第４マチ面と接着される細長い第６マチ面と; 
第２表紙面の第６マチ面と連接する辺に対向する辺に切取り可能なよう連接して設けられ、組立て時には上記第５マチ面と接着される細長い第７マチ面と；
が互いに連接して形成されるように構成することが推奨される。
また、上記大判の資料は、ミウラ折りに折り畳むことが望ましい。
【発明の効果】
【００１０】
上記の如き構成であると、折り畳んだ資料を厚紙製のカバー体の内部に収容し、要所を接着してカバー体を閉じることによって、封筒等に入れることなく、そのまま郵送可能なパッケージが完成し、使用時には、マチ面を切り取ることにより、厚紙でできた２枚の表紙面の間に大判の資料が展開自在に折り畳まれて挟まれた使い勝手のよい資料帖が形成されるので、便利で、省資源化の観点からも好適なパッケージを提供し得るものである。
【発明を実施するための最良の形態】
【００１１】
以下、図面に示す実施例を参照しつつ、本発明を実施するための最良の形態について説明する。
【実施例】
【００１２】
図１は、本発明に係るパッケージのカバー体の一実施例の展開図、
図２は、図１に示したカバー体の組立て過程を示す斜視図、
図３は、カバー体の内部に収納される大判の資料を、その折畳み線と共に示す平面図、
図４は、図３に示した資料を折り畳んだ状態を示す外観斜視図、
図５は、本発明に係るパッケージが完成した状態を示す外観斜視図、
図６は、図５に示したパッケージの内部の資料を使用するため切り開いた状態を示す外観斜視図、
図７は、図６に示した表紙付きの資料を展開した状態を示す平面図、
図８は、図７に示した表紙面付きの資料を裏返した状態を示す平面図である。
【００１３】
本発明に係るパッケージの構成を簡単に説明すれば、本発明に係るパッケージは、図４に示す如く折り畳まれた地図等の大判の資料１を、図２に示す如く組み立てられるカバー体２の内部に収容し、カバー体の表紙面Ａ１及びＡ２の内面の適宜の箇所を、折り畳まれた上記資料１の最上面及び最下面に接着した上で、カバー体２を図５に示す如く閉じ、常態では開かないように要所を接着して成るものである。
その表面に宛て先等を記載したラベルを貼り、切手を貼って、そのまま郵送することができる。
使用時には、上記パッケージのマチ面Ｃ１〜Ｃ７を表紙面Ａ１、Ａ２から切り離すことにより、図６に示すように、２枚の表紙面Ａ１、Ａ２の間に資料１が折り畳まれた状態で挟まれた資料帖が形成され、これを図７及び図８に示す如く展開することにより、資料１を容易に利用することができる。
なお、資料１を、ミウラ折りにしておくことにより、表紙面Ａ１、Ａ２を両手で持って両者を引き離したり近づけたりすることにより、資料１を簡単に展開したり、閉じたりすることができる。
【００１４】
以下、本発明の構成について具体的に説明する。
カバー体２は、１枚の厚紙を裁断することにより作製され、図１の展開図に示す如く、折り畳まれた前記資料１の縦横外形より幾分大きめの略矩形の２枚の表紙面Ａ１，Ａ２と、上記表紙面の各辺に連接して設けられ、折り畳まれた資料の厚さと略同等の幅を有する細長いマチ面Ｃ１〜Ｃ７と、が互いに連接するように形成されている。
即ち、図１に示す実施例のカバー体２においては、
略矩形の第１表紙面Ａ１と；
この第１表紙面Ａ１の一つの辺に切取り可能なよう連接して設けられる細長い第１マチ面Ｃ１と；
当該第１マチ面Ｃ１の第１表紙面Ａ１と連接する辺とは反対側の辺に切取り可能なよう連接して設けられる略矩形の第２表紙面Ａ２と；
当該第２表紙面Ａ２の第１マチ面Ｃ１と連接する辺とは反対側の辺に切取り可能なよう連接して設けられる細長い第２マチ面Ｃ２と；
前記第１表紙面Ａ１の第１マチ面Ｃ１と連接する辺とは反対側の辺に切取り可能なよう連接して設けられ、組立て時には上記第２マチ面Ｃ２と接着される細長い第３マチ面Ｃ３と；
第１表紙面Ａ１の第１マチ面Ｃ１と連接する辺に隣接する一方の辺に切取り可能なよう連接して設けられる細長い第４マチ面Ｃ４と; 
第１表紙面Ａ１の上記第４マチ面Ｃ４と連接する辺に対向する辺に切取り可能なよう連接して設けられる細長い第５マチ面Ｃ５と；
前記第２表紙面Ａ２の第１マチ面Ｃ１と連接する辺に隣接する一方の辺に切取り可能なよう連接して設けられ、組立て時には上記第４マチ面Ｃ４と接着される細長い第６マチ面Ｃ６と; 
第２表紙面Ａ２の上記第６マチ面Ｃ６と連接する辺に対向する辺に切取り可能なよう連接して設けられ、組立て時には上記第５マチ面Ｃ５と接着される細長い第７マチ面Ｃ７と；
が互いに連接して形成されている。
【００１５】
第１表紙面Ａ１及び第２表紙面Ａ２と各マチ面Ｃ１〜Ｃ７の連接部には、いずれも切り外し可能なように予めカット線（図１に破線で示す）が入れられている。
【００１６】
カバー体２を図２に示す如く折り曲げた後、その内部に、例えば図３に示す折り目１ａ，１ｂに沿って折ることにより、図４に示す如く折り畳んだ地図等の大判の資料１を収納し、カバー体の表紙面Ａ１及びＡ２の内面の適宜の箇所（例えば、図２中のハッチングを施した領域ａ１及びａ２の部分）を、折り畳まれた上記資料１の最下面及び最上面とそれぞれ接着する。
次いで、マチ面Ｃ２とＣ３を接着し、マチ面Ｃ４とＣ６を接着し、マチ面Ｃ５とＣ７を接着する。また、図１中において、マチ面Ｃ４とＣ５の下端に設けた三角形の耳部は、それぞれマチ面Ｃ３の内面に接着する。
これによって、内部に資料１を収納した図５に示すような、そのままで郵送可能なパッケージが完成する。
【００１７】
資料１の使用時には、例えば第１マチ面Ｃ１の一端を摘んで引っ張ると、当該第１マチ面Ｃ１が表紙面Ａ１及びＡ２から切り離される。次いで、第４マチ面Ｃ４の上記切り取られたマチ面Ｃ１に近い方の一端を摘んで引っ張ると、マチ面Ｃ４がこれに接着されたマチ面Ｃ６と共に表紙面Ａ１及びＡ２から切り離される。更に続けて引っ張ると、マチ面Ｃ４のもう一方の端部の前記耳部が第３マチ面Ｃ３の内面に接着されているので、マチ面Ｃ３がこれに接着されたマチ面Ｃ２と共に表紙面Ａ１及びＡ２から切り離される。更に続けて引っ張ると、第５マチ面Ｃ５の一端の前記耳部が第３マチ面Ｃ３の内面に接着されているので、マチ面Ｃ３を引っ張ることにより、マチ面Ｃ５がこれに接着されたマチ面Ｃ７と共に表紙面Ａ１及びＡ２から切り離される。
以上により、すべてのマチ面が表紙面Ａ１及びＡ２から切り離され、図６に示すような、資料１に表紙面Ａ１とＡ２とが具えられた資料帖が得られる。
【００１８】
大判の資料１は、図３に示す如く、一直線状の折り目１ａ，１ａと、屈曲した折り目１ｂ，１ｂとから成るいわゆるミウラ折り形式で折り畳んでおくことにより、大判の資料１の展開及び折畳み収納の操作が容易となる。
即ち、図６に示す資料帖の表紙面Ａ１、Ａ２を両手で持って両者を引き離したり近づけたりすることにより、資料１を簡単に展開したり、閉じたりすることができる。
折り目の数は、資料１の大きさや使用目的に応じて適宜変更可能であり、図３に示した例では、横方向に３面、縦方向に６面が形成されるように折り畳んであるが、例えば横方向に５面、縦方向に８面が形成されるように折り畳むことも可能である。
【００１９】
図７は、図６に示した表紙付きの資料帖を展開した状態を示しており、表紙面Ａ１、Ａ２が貼り付けられていない側の面を上にした平面図であり、資料１のこの面全体に地図等を表すことができる。
図８は、図７に示した表紙面付きの資料を裏返した状態を示しており、表紙面Ａ１、Ａ２が貼り付けられた側の面を上にした平面図であり、表紙面Ａ１、Ａ２が貼り付けられている箇所以外の領域に各種情報等を記載することができる。
【００２０】
なお、本発明は上記の実施例に限定されるものではなく、その目的の範囲内において、上記の説明から当業者が容易に想到し得るすべての変更実施例を包摂するものである。
【産業上の利用可能性】
【００２１】
本発明は以上の如く構成されるから、本発明によるときは、折り畳んだ大判の資料を、封筒等に入れることなく、そのまま郵送できると共に、使用時には、マチ面を切り取ることにより、厚紙でできた２枚の表紙面の間に大判の資料が展開自在に折り畳まれて収納された使い勝手のよい資料帖が形成されるので、便利で、省資源化の観点からも好適なパッケージを提供し得るものである。
【図面の簡単な説明】
【００２２】
【図１】本発明に係るパッケージのカバー体の一実施例の展開図である。
【図２】図１に示したカバー体の組立て過程を示す斜視図である。
【図３】カバー体の内部に収納される大判の資料を、その折畳み線と共に示す平面図である。
【図４】図３に示した資料を折り畳んだ状態を示す外観斜視図である。
【図５】本発明に係るパッケージが完成した状態を示す外観斜視図である。
【図６】図５に示したパッケージの内部の資料を使用するため切り開いた状態を示す外観斜視図である。
【図７】図６に示した表紙付きの資料を展開した状態を示す平面図である。
【図８】図７に示した表紙面付きの資料を裏返した状態を示す平面図である。
【符号の説明】
【００２３】
１      資料
１ａ，１ｂ  ミウラ折りの折り目
２      カバー体
Ａ１，Ａ２  表紙面
Ｃ１〜Ｃ７  マチ面
【図１】
2006076577.tif 000003
【図２】
2006076577.tif 000004
【図３】
2006076577.tif 000005
【図４】
2006076577.tif 000006
【図５】
2006076577.tif 000007
【図６】
2006076577.tif 000008
【図７】
2006076577.tif 000009
【図８】
2006076577.tif 000010